(57)【要約】      （修正有）【課題】サーフボードを汚すことなく滑り止めワックスを塗布したサーフボードを使用することができ、かつ、簡便にサーフボードから滑り止めワックスを除去することができるボード用シートを提供する。【解決手段】シート５０、５１、５２、５３、５４、５５は樹脂フィルムからなり、シート裏面に接着面を有することによりボード表面に密着し、シート表面に滑り止めワックスを塗布でき、シートはボード表面より剥離可能であることを特徴とするボード用シートとした。【選択図】図１
2018095180.tif 000002
【特許請求の範囲】
【請求項１】
シートは樹脂フィルムからなり、シート裏面に接着面を有することによりボード表面に密着し、シート表面に滑り止めワックスを塗布でき、シートはボード表面より剥離可能であることを特徴とするボード用シート。
【請求項２】
ボード用シートの幅は１０ｃｍから２０ｃｍである、請求項１記載のボード用シート。
【請求項３】
ボード用シートは、紫外線防止剤を含む請求項１及び請求項２に記載するボード用シート。
【請求項４】
ボード用シートは、色又は／及び柄を有する請求項１乃至請求項３に記載するボード用シート。
【発明の詳細な説明】
【技術分野】
【０００１】
本発明は、サーフボードや、スノーボード等に使用するボード用シートに関するものである。
【背景技術】
【０００２】
近年、サーフィンはオリンピック候補種目に選ばれるほど愛好家が増え、その年齢層も幅広くなっており、日本国内の人気も盛り上がりを見せている。
【０００３】
サーフボードには、表面（デッキ）と、裏面（ボトム）があり、足をのせる（スタンス）側をデッキといい、デッキ面には滑り止めワックスを塗る。この場合のサーフィン用ワックスは、スキーなどのワックスとは異なり、滑り止めに用いるものである。
【０００４】
ここで、ワックスは季節や水温等の変化により、ワックスのタイプを変える必要がある。たとえば、暖かい場合は硬いワックス、寒い場合では軟らかいワックスを使用することが望ましく、使用するワックスのタイプを変更する場合は、塗布したワックスを剥離した上で塗り直す必要がある。
【０００５】
また、ワックスは、その滑り止めとしての一効果である「グリップ力」を最大限に利用する場合は、使用の都度塗り直すことが望ましい。
【０００６】
一方、サーフボードのデッキ面は、何度も滑り止めワックスを塗り重ねることにより、硬化して黒く汚れた滑り止めワックスが何層にも塗り重ねられた状態となる場合もある。
【０００７】
このように、サーフィンを楽しむ場合にはサーフボードのデッキ面にワックスを塗布したり、剥離したりという作業は、必須条件となる。
【０００８】
この滑り止めワックスは塗布時間を必要とし、また、除去する際にはスクレバーやコーム状のリムーバで、硬く汚れたワックスを剥ぎ取り、又は、そぎ取った後、石油系の溶剤を用いてふき取るといった作業を必要とする。また、この作業は、根気強い労力を必要とし、１０から３０分とかなりの力と時間を必要とする重労働となる上、身体も作業場も汚れる問題がある。
【０００９】
そこで、サーフボードの表面には滑り止めワックスを塗らずとも滑り止め効果のあるシートが多数開発されている。
【００１０】
下記特許文献１には、サーフボード等の滑り止めシートが開示されている。
【００１１】
図６、７に示すとおり、特許文献１のサーフボード等の滑り止めシート８は、表面に吸盤凹部３を有する滑止突部４を、シート本体１表面に間隔をおいて縦横に多数有するように弾性部材で成形してなるものである。更に、シート本体１表面に足載せ突条２を膨出させるとともに、表面に吸盤凹部３を有する滑止突部４を、シート本体１表面に間隔をおいて縦横に多数有するように弾性部材で成形してなるものを採用することもでき、足載せ突条２をシート本体１表面の略中央から端部にかけて略Ｔ状に配してなるもの、滑止突部４表面の略全体に位置する大きさの吸盤凹部３を設けたもの、滑止突部４表面に多数の吸盤凹部３と小突部７を設けたもの、滑止突部４を円柱状とするもの等提案されている。
【００１２】
本考案のサーフボード等の滑り止めシート８は、サーフボード、ウインドサーフィンボード、その他のマリンボート表面に貼着して取り付けることができ、サーフィン等を行うと、滑止突部表面の吸盤凹部３内に水が入り、足を載せると吸盤凹部３内の水と空気が排出され、足の裏に吸着してフィットした状態で行うことができるものである。
【００１３】
下記特許文献２には、サーフボード用滑り止めパッドが開示されている。
【００１４】
図８、９に示すとおり、特許文献２のサーフボード用滑り止めパッドのパッド装置１０は、複数のパッド部材１２より構成され、それぞれ上面１４と底面、前端部１８と後端部２０と複数の凸部２１を有する。凸部２１は、第１の突起２２と第２の突起２４とを有し、第１の突起２２は、パッド部材１２の上面１４から突出し、第２の突起２４は、第１の突起２２の上面から突出している。また、サーフボードの上面１４あるいはデッキ面３８に、複数パッド部材１２を配置し接着して使用することができる。
【００１５】
前記発明のサーフボード用滑り止めパッドによれば、サーファーの足とサーフボード間のけん引摩擦を増進することができるため、前記発明のサーフボード用滑り止めパッドをサーフボードに接着させれば、サーファーはサーフボードの操作が容易になる。また、パッドを複数枚のパッド部材から構成すれば、サーファーの好みに応じてパッドの形状を決めることができる。
【先行技術文献】
【特許文献】
【００１６】
【特許文献１】実登３０１１３７６号公報（サーフボード等の滑り止めシート）
【特許文献２】特開平８−７２７９１号公報（サーフボード用滑り止めパッド）
【発明の概要】
【発明が解決しようとする課題】
【００１７】
このように特許文献１及び特許文献２の発明は、サーフボードの表面に貼ることにより滑り止め効果のあるシート又はパッドであり、滑り止めワックスによるサーフボードの黒ずみが生じず、ワックス除去の手間が不要であり、サーフボードの表面に簡単に貼ることができ、また、簡単に除去することのできる利便性の高いものである。
【００１８】
しかし特許文献１及び特許文献２の発明によるシート、パッドは、使用により凹部、凸部２１が擦り切れ、足を架ける部分が壊れ、強力なグリップ力を発揮させる本来の効果を奏せなくなり、サーフボードの劣化よりこれらシート、パッドの方が早く劣化してしまうと問題がある。
【００１９】
この場合、強力なグリップ力を発揮させる新たなシート・パッドに貼り替える必要があるが、一度貼ったら剥がれないように強力な糊を使用している場合、剥がす途中で千切れたり糊がサーフボードに残ったり等、剥がすのが難しく作業性が悪かった。
【００２０】
さらに、これらの発明は、従来から親しまれているサーフボードの滑り止めとしてのワックスを使用するものでなく、表面には滑り止めワックスは塗られていないため、滑り止めワックスを塗った場合と比較してグリップ性が低く滑りやすい、サーフボード愛好家にとって使用感がフィットしない、等の問題があった。
【００２１】
そこで、本発明の目的は、サーフボードの滑り止めに、滑り止め用ワックスを使用して従来の滑り止めワックスの使用感を維持しつつ、ワックスが汚れた時等にワックスを除去するＷＡＸ  ＯＦＦ作業を簡便にすることのできるボード用シートを提供することにある。
【課題を解決するための手段】
【００２２】
前記目的を達成するため請求項１記載の本発明は、シートは樹脂フィルムからなり、シート裏面に接着面を有することによりボード表面に密着し、シート表面に滑り止めワックスを塗布でき、シートはボード表面より剥離可能であることを特徴とするボード用シートを要旨とするものである。
【００２３】
請求項１記載の本発明によれば、サーフボードのデッキ面の任意の位置に、本発明のボード用シートを貼り、その上から任意の滑り止めワックスを塗布することにより、直接サーフボードに滑り止めワックスを付した場合と同様の、サーフボードと足の間の滑り止め効果、グリップ力を有し、合せて、本発明のボードシートを剥離することにより簡便にワックスを除去することができる。
【００２４】
請求項２記載の本発明は、ボード用シートの幅は１０ｃｍから２０ｃｍであることを要旨とするものである。
【００２５】
請求項２記載の本発明によれば、ボード用シートの幅が１０ｃｍから２０ｃｍに調整されているため、サーフボードのデッキ面の範囲・場所に合せてボード用シートを簡便に貼ることができる。
【００２６】
請求項３記載の本発明は、ボード用シートは、紫外線防止剤を含むことを要旨とするものである。
【００２７】
請求項３記載の本発明によれば、ボード用シートを貼ったサーフボードのデッキ面の日焼けを防止することができる。
【００２８】
請求項４記載の本発明は、ボード用シートは、色又は／及び柄を有することを要旨とするものである。
【００２９】
請求項４記載の本発明によれば、ボード用シートに色や柄を有するため、ボード用シートを貼ったサーフボードのデッキ面を自由に装飾することができる。
【発明の効果】
【００３０】
以上述べたように本発明は、サーフボードの滑り止めに、滑り止め用ワックスを使用して従来の滑り止めワックスの使用感を維持しつつ、ワックスが汚れた時等にワックスを除去するＷＡＸ  ＯＦＦ作業を簡便にすることのできるボード用シートを提供することができる。
【００３１】
本発明のボード用シートは、ボードの上に立ち、ボードを足と体で操作するサーフボードやスノーボード等に有用な発明である。
【図面の簡単な説明】
【００３２】
【図１】本発明のボード用シートを取り付けたサーフボードの第１の実施形態を示す平面図である。
【図２】本発明のボード用シートをサーフボードに取り付ける第１の実施形態を示す説明図である。
【図３】本発明のボード用シートを取り付けるサーフボードの第１の実施形態を示す説明図である。
【図４】本発明のボード用シートを取り付けたサーフボードからボード用シートを剥がす状態を示す説明図である。
【図５】本発明のボード用シートを取り付けたサーフボードの第２の実施形態を示す平面図である。
【図６】従来例のサーフボード等の滑り止めシートを取り付けたサーフボードの状態を示す平面図である。
【図７】従来例のサーフボード等の滑り止めシートの滑止突部を示す拡大平面図である。
【図８】従来例のサーフボード用滑り止めパッドを取り付けたサーフボードの状態を示す平面図である。
【図９】従来例のサーフボード用滑り止めパッドを示す平面図である。
【発明を実施するための形態】
【００３３】
以下本発明を実施するための形態について説明するが、本発明はこれに限定されたものでないことは、言うまでもない。
【００３４】
以下図面について本発明のボード用シートの実施の形態を詳細に説明する。図１は、本発明のボード用シートを取り付けたサーフボード５の第１の実施形態を示す平面図であり、図中３８はデッキ面、４１はノーズ部、４２はレール部、４３はテール部、５０から５５はボード用シート、５はサーフボードである。
【００３５】
サーフボード５は、サーフボード５の芯材であるいわゆるブランクスを任意の形状に成形し、成形したブランクスに補強用クロスを固定用樹脂であるいわゆるレジンで固め、フィンを取り付けた後、表面をサンディングして滑らかなサーフボード５に仕上げる。
【００３６】
一般的に、ブランクスの原料としては、ポリウレタン、ポリスチレンがある。また、補強用クロスには、グラスファイバーを布状に織り込んだガラスクロスが使用されている。固定用樹脂には、ポリエステル樹脂やエポキシ樹脂が使用されており、添加する硬化剤を調整することによりカチカチに固化させることができる。
【００３７】
デッキ面３８とは、サーフボード５の表の面で、サーファーの足が直接接触する面である。また、ノーズ部４１はサーフボード５の先端、レール部４２はサーフボード５の横のエッジ面、テール部４３はサーフボード５の後ろの部分をいう。サーフボード５の全体の形状及び各部の形状は多種多様あり、形状により水から受ける抵抗が異なるため、サーフボード５の操作方法が大きく異なり、サーフィンをする目的や、サーフィンをする者の好みで選択される。
【００３８】
本発明のボード用シートは、裏面に接着剤が塗布された樹脂フィルムからなるものである。図１に示すように、樹脂フィルムの裏面の接着剤の面をサーフボード５のデッキ面３８に貼付し、密着させ、ボード用シート５０から５５を貼った上に滑り止めワックスを塗る。
【００３９】
ボード用シートは、樹脂製のものであり、長尺のロールタイプのものや、シート状にカットされたものでもよい。サーフボード５のレール部４２に合わせてボード用シートを切り貼ってもよい。
【００４０】
ボード用シートの素材の樹脂は、特に限定はないが、耐水性を有した摩擦に強いものが好ましい。一例として、デッキ面３８に接する層から、ＵＶカット粘着層、ＰＥＴフィルム層、ハードコート層を積層したシートを採用できる。ＵＶカット粘着層は、アクリル系粘着剤にＵＶ吸収剤を混ぜ込んだ層とすることで、ボード用シートが紫外線をカットする効果を有し、再剥離が容易で糊残りを少なくすることができる。ハードコート層は、アクリル系樹脂をＰＥＴフィルム層の表面に加工したものであり、ボード用シートの硬度、耐摩耗性を向上させることができる。
【００４１】
ボード用シートは、その表面に塗布したワックスの消耗や汚れ具合により、貼り替えるため、サーフボード５とボード用シートとは密着するが、ボード用シートをサーフボード５から剥がした際にはデッキ面３８に接着剤が残らない接着剤を塗布したものである。
【００４２】
次に、使用法及び動作について説明する。
【００４３】
図２に示すとおり、まず、ボード用シート５０をデッキ面３８の任意の位置に貼り、図３に示すとおり、ボード用シート５１をボード用シート５０の上部の辺にボード用シート重ね部分６０を設けて貼ってもよい。図２、図３には、ボード用シート５０から５５をデッキ面３８のテール部４３に近い位置からノーズ部４１の方向に順に貼っているが、デッキ面３８のノーズ部４１に近い位置からテール部４３の方向に貼ってもよい。
【００４４】
本実施例では帯状のボード用シートをレール部４２に合わせてカットして、ボード用シート５０から５５の６枚貼付しているが、貼る位置や範囲は、滑り止めワックスを塗る位置範囲に合わせて任意でよい。
【００４５】
サーフボード５のデッキ面３８にボード用シートを貼り、その上に任意の滑り止めワックスを塗布する。帯状のボード用シートの場合、幅１０〜２０ｃｍのものが好ましい。
【００４６】
この後、サーフィンを実施するが、滑り止めワックスの塗布が必要になった時点で、滑り止めワックスを塗布したボード用シート５０から５５上に再度ワックスを重ねて塗布することもでき、また、図４に示すとおり、６１は剥がしたボード用シートの一部分であり、滑り止めワックスが塗布されたボード用シートを剥がした後に再度ボード用シートを貼り、その表面に滑り止めワックスを塗布することもできる。
【００４７】
このように、ボード用シート上に滑り止めワックスを重ねて塗布していくが、滑り止めワックスが汚れてきた時点で、樹脂シートをサーフボード５から剥がすことにより、滑り止めワックスも同時にサーフボード５上から剥がすことができる。
【００４８】
図２、図３、図４に示すとおり、ボード用シートは、列状に端から１ｃｍほど重ねて貼ることにより、剥がす際も最初に貼ったボード用シートから一気に剥がすことが可能となる。
【００４９】
ボード用シートは、その幅は任意に構成することができ、カッターやハサミ等で簡易に任意のサイズに調整することができる。
【００５０】
また、ボード用シートに紫外線防止剤を添加することにより、貼った部分のサーフボード５の日焼けを防止することができる。
【００５１】
本発明のボード用シートは、無色透明であってもよく、任意で着色しても、図５に示すとおり柄等模様を付したものでもよい。
【産業上の利用可能性】
【００５２】
本発明により、サーフボードを汚すことなく滑り止めワックスを塗布したサーフボードを使用することができ、かつ、簡便にサーフボードから滑り止めワックスを除去することができ、あわせて、ボードの上に立ち、ボードを足と体で操作するサーフボードやスノーボード等用途が広い有用な発明である。
【符号の説明】
【００５３】
１    シート本体
２    足載せ突条
３    吸盤凹部
４    滑止突部
５    サーフボード
７    小突部
８    サーフボード等の滑り止めシート
１０  パッド装置
１２  パッド部材
１４  上面
１８  前端部
２０  後端部
２１  凸部
２２  第１の突起
２４  第２の突起
３８  デッキ面
４１  ノーズ部
４２  レール部
４３  テール部
５０  ボード用シート
５１  ボード用シート
５２  ボード用シート
５３  ボード用シート
５４  ボード用シート
５５  ボード用シート
６０  ボード用シート重ね部分
６１  剥がしたボード用シートの一部分
【図１】
2018095180.tif 000003
【図２】
2018095180.tif 000004
【図３】
2018095180.tif 000005
【図４】
2018095180.tif 000006
【図５】
2018095180.tif 000007
【図６】
2018095180.tif 000008
【図７】
2018095180.tif 000009
【図８】
2018095180.tif 000010
【図９】
2018095180.tif 000011